(57)【要約】      （修正有）【課題】異なる表示頁に対応した遊技情報を容易に比較することが可能な遊技場用システムを提供する。【解決手段】遊技機側から出力される遊技信号を入力することにより遊技情報を特定可能な遊技情報特定手段と、遊技情報を表示するための表示頁を切替えて表示可能とする表示手段と、を備え、表示手段の表示対象となる表示頁には、遊技情報テーマに対応した遊技情報を表示する通常表示頁と、複数の通常表示頁の表示対象となる遊技情報をまとめて表示するまとめ表示頁とが含まれることを特徴とする。【選択図】図２３
2019076581.tif 000002
【特許請求の範囲】
【請求項１】
遊技機側から出力される遊技信号を入力することにより遊技情報を特定可能な遊技情報特定手段と、
遊技情報を表示するための表示頁を切替えて表示可能とする表示手段と、を備え、
前記表示手段の表示対象となる表示頁には、遊技情報テーマに対応した遊技情報を表示する通常表示頁と、複数の通常表示頁の表示対象となる遊技情報をまとめて表示するまとめ表示頁とが含まれることを特徴とする遊技場用システム。
【請求項２】
前記まとめ表示頁の表示対象となる遊技情報テーマを設定可能である設定手段を備え、
前記表示手段は、前記設定手段により設定された遊技情報テーマに対応する遊技情報を、前記まとめ表示頁の表示対象として表示可能であることを特徴とする請求項１に記載した遊技場用システム。
【請求項３】
前記遊技情報テーマには、前記まとめ表示頁の表示対象となる旨が設定された場合に、表示対象となる遊技情報項目が予め対応付けられており、
前記まとめ表示頁には、１表示頁に表示可能とする遊技情報項目数の上限が予め対応付けられており、
前記表示手段は、前記まとめ表示頁の表示対象となる遊技情報項目数が、前記上限を超えた場合には複数のまとめ表示頁を表示対象とすることを特徴とする請求項２に記載した遊技場用システム。
【請求項４】
前記遊技情報テーマには、複数の遊技情報項目が対応付けられた遊技情報テーマが含まれ、
前記設定手段は、遊技情報テーマに対応付けられた遊技情報項目の内、表示対象から除外される遊技情報項目を設定可能であり、
前記表示手段は、表示対象から除外される旨が設定された遊技情報項目を、通常表示頁だけでなく、まとめ表示頁においても表示対象から除外可能であることを特徴とする請求項２又は３に記載した遊技場用システム。
【請求項５】
前記遊技情報テーマは、通常表示頁とまとめ表示頁とに区分して表示対象から除外されるかが予め対応付けられており、
前記設定手段は、遊技情報テーマ単位で対応する通常表示頁を表示対象とするかを設定可能である一方、通常表示頁について表示対象から除外される旨が予め対応付けられた遊技情報テーマについては、対応する通常表示頁を表示対象とすることが制限されると共に、まとめ表示頁について表示対象から除外される旨が予め対応付けられた遊技情報テーマについては、まとめ表示頁の表示対象とすることが制限されることを特徴とする請求項２から４の何れか一項に記載した遊技場用システム。
【請求項６】
前記遊技情報テーマには、予め優先順位が対応付けられており、
前記表示手段は、まとめ表示頁の表示対象となる遊技情報が、当該遊技情報に対応した遊技情報テーマの優先順位により特定される箇所に配置されたまとめ表示頁を表示可能とすることを特徴とする請求項１から５の何れか一項に記載した遊技場用システム。
【発明の詳細な説明】
【技術分野】
【０００１】
本発明は遊技場用システムに関する。
【背景技術】
【０００２】
遊技場では遊技者へのサービスとして遊技機に対応して情報表示装置を設け、対応する遊技機の遊技情報を情報表示装置にて表示している。この場合、表示対象となる遊技情報が多岐にわたるので、例えば特許文献１のように遊技情報が表示される表示頁を複数設け、その表示頁を切替操作に応じて切替えることで遊技情報を遊技者に提供している。
【先行技術文献】
【特許文献】
【０００３】
【特許文献１】特開２００７−６８９０４号公報
【発明の概要】
【発明が解決しようとする課題】
【０００４】
さて、上記のような表示頁は遊技者のニーズと遊技場の遊技情報を開示できる範囲とに応じて表示対象となるが、異なる表示頁の遊技情報を比較しながら参照したいという遊技者のニーズも少なくない。しかしながら、従来の遊技場用システムでは、テーマに沿った遊技情報を１つの表示頁にて表示しているので、テーマが異なる遊技情報は一方の表示頁を表示して遊技情報を把握してから他方の表示頁を表示することで初めて比較可能となり、更に表示頁も多数あるので、このような遊技情報を比較して参照することが難しかった。
【０００５】
本発明は、上記した事情に鑑みてなされたもので、その目的は、異なる表示頁に対応した遊技情報を容易に比較することが可能な遊技場用システムを提供することにある。
【課題を解決するための手段】
【０００６】
請求項１記載の発明によれば、遊技情報テーマに対応した遊技情報を表示する通常表示頁と、複数の通常表示頁の表示対象となる遊技情報をまとめて表示するまとめ表示頁とが表示可能となるので、遊技情報テーマが異なる遊技情報を比較したい場合に、一方の通常表示頁と他方の通常表示頁とを比較するか否かに関らず、まとめ表示頁にて遊技情報を容易に比較することが可能となり、使い勝手を高めることができる。
【図面の簡単な説明】
【０００７】
【図１】一実施形態における遊技場用システムの全体構成図
【図２】遊技機の正面図
【図３】情報表示装置の正面図
【図４】セグ表示部の全点灯状態を示す図
【図５】セグ表示部のデータ表示状態を示す図
【図６】７セグを示す図
【図７】セグ表示部の演出表示を示す図（その１）
【図８】セグ表示部の演出表示を示す図（その２）
【図９】セグ表示部の演出表示に説明図形を加えて示す図（その１）
【図１０】セグ表示部の演出表示に説明図形を加えて示す図（その２）
【図１１】セグ表示部の別の演出表示を示す図
【図１２】全体演出を示す図（その１）
【図１３】全体演出を示す図（その２）
【図１４】各種操作釦を示す図
【図１５】グラフ釦に対応する情報一覧を示す図
【図１６】過去釦に対応する情報一覧を示す図
【図１７】履歴釦に対応する情報一覧を示す図
【図１８】情報釦に対応する情報一覧を示す図
【図１９】詳細釦に対応する情報一覧を示す図
【図２０】データ表示を示す図（その１）
【図２１】データ表示を示す図（その２）
【図２２】データ表示を示す図（その３）
【図２３】データ表示を示す図（その４）
【発明を実施するための形態】
【０００８】
以下、本発明の一実施形態について図面を参照して説明する。
図１に示すように、遊技場内には多数の遊技機１が設置されており、各遊技機１に対応して遊技装置２及び情報表示装置３（遊技情報特定手段、設定手段に相当する）が設置されている。遊技機１、遊技装置２及び情報表示装置３は、中継装置４及びＬＡＮ５を介して管理装置６と接続されている。又、遊技場にはＰＯＳや残金精算機（何れも図示せず）も設置されており、これらＰＯＳや残金精算機もＬＡＮ５を介して管理装置６と接続されている。尚、図１では図示を省略したが、実際には例えば数百台の遊技機１が管理装置６の管理対象となっている。
【０００９】
管理装置６は、遊技場内の例えば事務室等に設置されており、遊技場の管理者が操作するキーボード７、モニタ８及びプリンタ（図示せず）等が接続されている。管理装置６は、遊技機側（遊技機１、遊技装置２等）から出力される遊技信号を入力し、遊技機１毎の遊技データや会員登録された会員毎の個人データ等を管理する。
【００１０】
図２に示すように、遊技機１はＣＲ（カードリーダ）パチンコ機であり、盤面９に玉を発射する発射装置を構成する操作ハンドル１０、上部受皿１１及び下部受皿１２を有する。上部受皿１１には、貸出釦１３、返却釦１４及び残高表示部１５が並設されている。盤面９には、普図表示部１６、普図保留表示部１７、特図表示部１８、普図入賞口１９、第１一般入賞口２０、第２一般入賞口２１、第１保留数表示部２２、第２保留数表示部２３、第１始動口２４、第２始動口２５及び大入賞口２６を有する。
【００１１】
遊技機１は以下のように動作する。
（１）第１始動口２４は入賞率が変動しない入賞口（所謂ヘソ入賞口）であり、第２始動口２５は入賞率が変動する入賞口（所謂電チュー）である。
（２）各始動口２４，２５への入賞（始動入賞）に応じて大当り抽選を行い、抽選結果を特図表示部１８にて行う図柄変動（単位遊技）にて報知し、その変動結果に応じて大当りとなる。
（３）図柄変動中に始動入賞した場合には所定の保留上限値（例えば各４つ）まで図柄変動を累積的に保留し、図柄変動終了後に保留している図柄変動を開始する。尚、保留している図柄変動数（保留数）が上限値である状態で始動入賞した場合、図柄変動は保留されない。
【００１２】
（４）大当り抽選の当選確率（大当り確率）は１／３１９．６８であり、大当りが発生すると振分けられたラウンド（Ｒ）分だけ大入賞口２６を開放する。１Ｒの上限入賞数は９個であり、上限開放時間は３０秒であり、上限入賞数又はラウンド上限開放時間の何れかが満たされた場合に１Ｒを終了する。尚、ラウンド振分は４Ｒが５０％、６Ｒが３０％、９Ｒが２０％となっている。
【００１３】
（５）大当りが終了すると確変（ＳＴ）となり、ＳＴ中は大当り確率が１／７４に向上すると共に、第２始動口２５の入賞率が高くなる時短状態（時短）となる。尚、ＳＴは次回大当りの発生、１５０回の図柄変動の何れかとなるまで継続し、大当りが発生しない場合、その後は通常状態となる。
【００１４】
（６）第２始動口２５は普図入賞口１９への入賞に応じて変動する普通図柄（普図）が当りとなった場合に入賞率の高い開放状態となる。この場合、普図１回の変動時間は通常状態では３０秒であり、時短では３秒となる。又、開放時間は通常状態では０．３秒であり、時短では５秒となる。即ち、時短では通常状態と比較して普図変動時間が短くなる一方、開放時間は長くなることで第２始動口２５の入賞率が高くなる。
【００１５】
（７）一般入賞口２０，２１はＳＴ中に盤面９の右側を狙って打つ所謂右打ちを行った場合であっても入賞可能な位置に設けられており、一般入賞口２０，２１に入賞（一般入賞）した場合には１０個の賞球はあるが、図柄変動等は行われない。以上は機種Ａを例にして説明したが、例示した値や発生し得る特別状態等のスペックは例えば機種Ｂであればラウンドの振分が異なるといったように機種に応じて様々となる。
【００１６】
遊技機１及び当該遊技機１に付設された周辺機器は、遊技者による玉の打ち込みや各始動口２４，２５への始動入賞等の遊技の進行に伴って、以下に示す遊技信号を出力する。
アウト信号＝消費玉を回収するアウトＢＯＸから出力される消費価値（アウト）を特定可能な信号（稼動信号）である。消費（使用、打込、回収）玉１０玉に対して１パルスが出力されるので、「アウト信号数×１０」をアウトとして特定する。尚、遊技機１から出力される信号でも良い。
セーフ信号＝遊技機１から出力される入賞付与価値（セーフ）を特定可能な信号である。入賞に応じた払出１０玉に対して１パルスが出力されるので、「セーフ信号数×１０」をセーフとして特定する。尚、補給装置から出力される補給信号をセーフ信号としても良い。又、玉を実際に払出した際に出力される実セーフ信号と、入賞に応じて払出が予約された場合に出力される入賞セーフ信号とがある。
【００１７】
スタート信号＝遊技機１から出力される始動入賞（Ｓ入賞）により変動（作動）する特図表示部１８（役物）におけるスタート処理（図柄変動、役物作動、単位遊技）、及びスタート（スタート処理数）を特定可能な信号である。図柄変動確定時に出力されるので、信号入力に応じてスタート処理を特定する。尚、各始動口２４，２５へ入賞したことを示すＳ入賞信号により代用しても良い。
大当り信号＝遊技機１から出力される大当り期間を特定可能な信号である。大当り中にレベル出力されるので、大当り信号入力中を大当り中として特定する。所定の演出条件の成立を特定可能な演出信号に相当する。
【００１８】
特別状態信号＝遊技機１から出力される特別状態（甘中）を特定可能な信号である。第２始動口２５の入賞率が向上する特別状態中（時短中（確変時を含む））にレベル出力されるので、特別状態信号入力中を特別状態中として特定する。大当り中にも出力する信号でも良く、その場合は、特別状態信号は入力するが大当り信号は入力しない期間を甘中と判定すれば良い。尚、大当り確率が向上する確変中にレベル出力される状態信号（確変信号）であっても良い。又、大当り信号と特別状態信号の何れも入力していない期間を通常状態として特定する。
【００１９】
遊技装置２は、所謂各台計数機能を有する貸出機であり、遊技機１の遊技状態を示す状態表示灯２７、貨幣（貨幣価値、有価価値）が投入される貨幣投入口２８、遊技者からの操作入力を受付けると共に遊技の進行に伴って図柄変動回数（スタート回数）や大当り確率等の遊技データを表示するタッチパネル式の液晶表示部２９、持玉（会員であれば貯玉も含む）を払出すための払出釦３０、払出された玉が通過する払出ノズル３１、カード（一般カードや会員カード）が挿入されるカード挿入口３２及び遊技機１の下部受皿１２の下方に位置する着脱可能な計数受皿３３等を有する。
【００２０】
遊技装置２は以下のように動作する。
（１）貨幣を受付けると（貨幣受付処理）、遊技機１と遊技装置２との双方に入金額を残高に加算して表示し、残高がある状態で遊技機１の貸出釦１３が押下されると（貸出操作、対価付与操作）、貸出１単位（例えば５００円）分の貸出玉（対価付与価値）を遊技機１から払出し（貸出処理、対価付与処理）、レートに応じた対価分を残高から引落とす。尚、貨幣は複数回の対価付与処理の対応分を受付可能である（例えば１万円まで）。
【００２１】
（２）計数玉を受付けた場合は計数玉を持玉として特定し、その持玉を払出釦３０の押下に応じて払戻す払戻処理（持玉の再プレイ処理）を可能とし、払戻した場合にはその対価分（例えば払戻した玉数と同数）の持玉を減算する。
【００２２】
（３）残高や持玉が残存する状態で遊技機１の返却釦１４が押下されると（発行操作を受付けると）、遊技装置２にストックされていた残高や持玉を特定可能な持玉券を発行する。尚、持玉の一部や残高のみを発行対象とする分割発行も可能とする。又、持玉券を受付けた場合は、その残高や持玉を引継ぐ。
【００２３】
（４）中継装置４とのシリアル通信により管理装置６にて貨幣受付処理や対価付与処理、残高や持玉、貸出玉数、払戻玉数、入金額、計数玉数や貸出玉数や貸出玉の対価となる売上額、及び持玉券の受付や発行処理等の各種情報を特定可能とするが、これらをパルス信号（例えば入金１０００円毎に１パルス、売上１００円毎に１パルス等）にて特定可能としても良い。尚、貸出処理上の通信については中継装置４を介さず、遊技機１と遊技装置２とで直接通信を行っても良い。
【００２４】
情報表示装置３は、中継装置４を介して遊技機１側から出力される遊技信号を入力して遊技情報を管理して表示する。図３に示すように、情報表示装置３は、呼出表示中や特別状態中等にイルミネーション演出を行うイルミネーション部３４、各種遊技情報を表示する表示部３５、表示部３５の表示内容を変更するような操作を受付ける各種操作釦３６を有する。
【００２５】
イルミネーション部３４は、右上部イルミネーション部３４ａ、左上部イルミネーション部３４ｂ、左端部イルミネーション部３４ｃ、左下部イルミネーション部３４ｄ、右下部イルミネーション部３４ｅ、右端部イルミネーション部３４ｆの６個に区分される。表示部３５は、遊技者から見て表示部３５の中央付近に配置されている中央表示部３７、遊技者から見て中央表示部３の右側に配置されている高密度の液晶表示方式を採用した液晶表示部３８（表示手段に相当する）、同じく左側に配置されているセグ表示部３９の３個に区分される。
【００２６】
中央表示部３７は、ＬＥＤによる３つの比較的大きな７セグを有し、例えば大当り数のような遊技者が最も注目する遊技情報を表示する。尚、中央表示部３７は、液晶表示から構成されていても良い。液晶表示部３８は、後述する図２０に示すようにグラフも表示対象とする。セグ表示部３９は、ＶＡ（Vertical Alignment）液晶を例示することができ、後述する図５に示すように大当り回数やスタート回数等を表示対象とする。各種操作釦３６は、複数の釦にて構成され、各操作釦を操作することで対応する情報表示を行う。各種操作釦３６の１つである呼出釦４０が操作された場合には呼出状態となる。
【００２７】
セグ表示部３９について説明する。図４はセグ表示部３９の全点灯状態、即ち、セグ表示部３９を構成する全てのセグメント（表示区分単位）を表示した状態を示し、図５はセグ表示部３９のデータ表示状態、即ち、セグ表示部３９を構成する全てのセグメントの内、表示するデータに対応して選択したセグメントのみを表示した状態を示している。セグ表示部３９は、図４に示す区分されたセグメントを表示するか否かにより数値や文字を表示する。セグ表示部３９を構成するセグメントには、数値を表示するための数値セグと、数値以外の文字情報を表示するための文字セグと、数値を仕切るための仕切り情報を表示するための仕切りセグとが含まれる。
【００２８】
数値セグは、図６に示すように、正確には１４個のセグメント４１ａ〜４１ｎが規則的に配列されることで７セグ（セググループ、図４中破線「Ａ」で示している。又、図中では１４セグを例示しているが、説明の都合上、７セグとして説明する）を構成するセグメントであり、その１４個のセグメント４１ａ〜４１ｎをそれぞれ表示するか否かにより数値を表示する。例えばセグメント４１ｃ，４１ｄ，４１ｆ，４１ｉ，４１ｋ，４１ｎのみを選択的に表示することにより「１」を表示し、セグメント４１ａ〜４１ｎの全てを表示することにより「８」を表示する。文字セグは、例えば「スタート」の文字列を構成する「ス」、「タ」、「ー」、「ト」のそれぞれの文字の形状に対応したセグメントであり、そのセグメントを表示するか否かによりそれぞれ「ス」、「タ」、「ー」、「ト」を表示する。「ゲーム」や他の文字列についても同様であり、これら「スタート」や「ゲーム」の文字列は遊技情報の属性情報に相当する。仕切りセグは、複数個のセグメントが直線状に配列されることで仕切り情報を構成するセグメントであり、そのセグメントを表示するか否かにより仕切り情報を表示して数値を仕切る。
【００２９】
セグ表示部３９は、７セグの表示を組合わせることで、セグ情報グループ単位（図５中破線「Ｂ」で示している）で情報表示を行う。本日と、１（営業）日前、２（営業）日前とのそれぞれの遊技情報を表示する箇所でも同様である。尚、本実施形態では、上記したように７セグを構成するセグメントがセグメント４１ａ〜４１ｎの１４個である場合を例示したが、７セグを構成するセグメントの個数は７個や１６個等の幾つでも良い。又、ここでいう文字とは英字やカタカナ等も勿論含み、セググループ単位で表示される数値や文字が文字情報に相当する。
【００３０】
セグ表示部３９は、遊技情報を表示する場合には、初期化条件の成立後（営業開始や特別状態の終了等により成立）からのスタート（図柄変動数）、大当り数として、大当（全大当り数）、確変（確変の前後にて発生した大当り数）、初当（通常状態にて発生した大当り数で所謂初当り数）を、本日と、１日前と、２日前とを対象として表示する。これらは例えば遊技場の従業員による設定操作により、図４に示すようにＢＢやＲＢやＡＲＴ、又はＢＢとＲＢとの合計（何れもスロットマシンに対応）等に変更することも可能である。
【００３１】
図７から図１０はセグ表示部３９における大当りの発生（演出条件の成立）に応じた演出（特別表示）例を示している。図７及び図８はセグ表示部３９の表示画面のみを示し、図９及び図１０はそれぞれ図７及び図８の表示画面に対応して説明上の説明図形４２ａ〜４２ｘを加えて示している。セグ表示部３９は、図７及び図８に示すように、表示状態を（ａ）→（ｂ）→（ｃ）→（ｄ）→（ｅ）→（ｆ）→（ａ）→（ｂ）→…（以下、繰返し）…というように徐々に切替え、図７及び図８の内、それぞれ図９及び図１０に示す説明図形４２ａ〜４２ｘの箇所のセグメントを表示しないことで、当該説明図形４２ａ〜４２ｘの箇所を風車の羽（絵柄）に見たて、その風車の羽が矢印４３ａ〜４３ｘにしたがって回転するかのようにセグメントの表示有無を制御している。即ち、遊技者は、このような演出により大当りの発生による満足感を高めることが可能となる。
【００３２】
このようにセグ表示部３９は、図５に示したように遊技情報を表示する場合には破線「Ｂ」にて示したセグ情報グループ単位で数値や文字を表現しているのに対して、上記した演出時にはセグ情報グループの内、一方のセグ情報グループの一部と他方のセグ情報グループの一部とを連動させ、即ち、異なるセグ情報グループに含まれる複数のセグメントの表示を組合わせることで１つの図形を表現するかのような演出を行う。図９の例示では、セグ表示部３９は、説明図形４２ａに対応する箇所では、同一のセグ情報グループに含まれる複数のセグメントの表示を組合わせることで演出を行っており、説明図形４２ｂに対応する箇所では、文字セグと数値セグと仕切りセグとの表示を組合わせることで演出を行っており、説明図形４２ｃに対応する箇所では、異なるセグ情報グループに含まれる複数のセグメントと仕切りセグとの表示を組合わせることで演出を行っている。他の説明図形４２ｄ〜４２ｘに対応する箇所でも同様である。
【００３３】
セグ表示部３９は、この他にも大当り発生に応じて以下のような演出を行う。セグ表示部３９は、スタートに対応する各７セグにて「７」の表示とその各セグを順次点灯させて７セグが回転するかのような表示とを繰返しながら、スタートに対応する７セグ以外を点滅させる演出、中央から外側に向けて放射線状に表示しないセグを繰返して移動させる演出、非表示箇所と表示箇所とを縦方向（上下方向）に複数区分してその区分が右から左へと移動するようにセグの表示有無を制御する演出、同様に非表示箇所と表示箇所とを横方向（左右方向）に複数区分して下から上へと移動するような演出、上記した風車の羽が回転するかのような演出を順次行った上で大当り中の情報表示に移行する。尚、このようにセグ表示部３９が演出を行うと同時に中央表示部３７や液晶表示部３８でも大当りの演出表示を行うことで、全体的に華やかな演出が可能となる。特に中央表示部３７とイルミネーション部３４とが連動し、後述する図１２及び図１３に示すように光が「∞」を描くように順次点灯することで、全体的に華やかな演出が可能となる。
【００３４】
図１１はセグ表示部３９における別の演出例を示している。セグ表示部３９は、遊技情報を表示する場合の本日と、１日前と、２日前とのそれぞれの遊技情報を表示する箇所のセグ表示を組合わせることで３つの「７」（それぞれ図１１中破線「Ｃ１」，「Ｃ２」，「Ｃ３」で示している）を並べて表示し、その表示を点滅させることで大当りの象徴とも言える「７７７」を遊技者に強く印象付けることが可能となる。
【００３５】
図１２及び図１３は大当り演出した場合のイルミネーション部３４と中央表示部３７との連動による演出を示している。上記した通り、演出としては光が「∞」を描くように順次点灯するので、イルミネーション部３４及び中央表示部３７は、表示状態を（ａ）→（ｂ）→（ｃ）→…（略）…→（ｈ）→（ｉ）→（ｊ）→（ａ）→（ｂ）→…（以下、繰返し）…というように徐々に切替える。イルミネーション部３４は、（ｂ）及び（ｇ）以外では、「点灯箇所」として示した箇所（例えば（ａ）では右上部イルミネーション部３４ａの左側の一部、（ｄ）では左端部イルミネーション部３４ｃの一部と左下部イルミネーション部３４ｄの一部）を順次点灯し、中央表示部３７は、（ｂ）及び（ｇ）では、７セグを光が通過するかのように表示する。尚、イルミネーション部３４及び中央表示部３７は、演出の開始箇所を（ａ）としても良いし（ａ）以外としても良く、光の点灯箇所の長さを任意としても良く、光の移動が１周する時間の長さを任意としても良い。
【００３６】
又、イルミネーション部３４は、図１２及び図１３に示した「点灯箇所」の単位ではなく当該「点灯箇所」を細分化して光が滑らかに通過するようにしても良い。例えば（ａ）→（ｂ）の状態では、右上部イルミネーション部３４ａを右側部、中央部、左側部に３分割し、右上部イルミネーション部３４ａの全てのＬＥＤの点灯状態から、中央表示部３７における右側の７セグの内の上側の一部のセグを点灯し、右上部イルミネーション部３４ａにて点灯していた右側部のＬＥＤを消灯し、中央表示部３７における中央の７セグの内の中央側の一部のセグメントを点灯し、右上部イルミネーション部３４ａにて点灯していた中央部のＬＥＤを消灯し、中央表示部３７における左側の７セグの内の下側の一部のセグを点灯し、右上部イルミネーション部３４ａにて点灯していた左側部のＬＥＤを消灯する、というようにＬＥＤ単位やセグメント単位で推移させて細分化しても良い。例えば（ｂ）→（ｃ）の状態でも、左下部イルミネーション部３４ｄを右側部、中央部、左側部に３分割して同様としても良い。又、演出としては光が「∞」を描くように順次点灯することを例示したが、左端部イルミーション部３４ｃ及び右端部イルミーション部３４ｆを対象外とすることで、左右の上部イルミーション部３４ａ，３４ｂと左右の下部イルミーション部３４ｄ，３４ｅとで光が「Ｘ」を描くように順次点灯しても良い。
【００３７】
次に、各種操作釦３６について説明する。図１４は各種操作釦３６を示している。各種操作釦３６は、上記した呼出釦４０の他に、グラフ釦４４、過去釦４５、履歴釦４６、情報釦４７、詳細釦４８、★釦４９を有する。★釦４９は、例えば第２呼出釦としてワゴンサービスを利用したい場合に操作するといった別途設定により割当可能な自由度のある操作釦である。
【００３８】
★釦４９以外の各操作釦４４〜４８には図１５から図１９に示すように優先順位と共に遊技情報が対応付けられ、優先順位により順番に対応する遊技情報が表示される。尚、表示対象は主に液晶表示部３８となるが、必要に応じてセグ表示部３９や中央表示部３７も表示対象となる場合がある。
【００３９】
グラフ釦４４は、所謂スランプグラフ（差玉（セーフ−アウト）の推移グラフ（縦軸を差玉、横軸をアウト）、以下、スランプと称する）を切替える釦である。液晶表示部３８は、図１５に示すように、本日を含む３日間（例えば本日、１日前、２日前）を対象期間とし、営業日単位でのスランプである日別スランプ、３日間の連続したスランプである連続スランプ、３日間の営業開始時を同一点としたスランプである比較スランプ、７日分を対象期間としたスランプである週間スランプ、大当り毎の所謂スタートグラフであるデカ大当り間スタートグラフをグラフ釦４４の押下に応じて切替えて表示する。
【００４０】
過去釦４５は、営業日単位で遊技情報を切替える釦である。液晶表示部３８は、図１６に示すように、表示対象となっている遊技情報を過去釦４５の押下に応じて対象期間を切替えて表示する。
【００４１】
履歴釦４６は、大当り単位で遊技情報を切替える釦である。液晶表示部３８は、図１７に示すように、最初に大当り単位の遊技情報の履歴を示す大当り履歴を表示し、その次に大当りが発生してから通常状態に戻るまでの所謂特賞期間が終了した場合に、当該特賞期間中の遊技情報を表示する結果発表の内、最新（前回）の結果発表を表示し、その後は大当り毎の対応する遊技情報を履歴釦４６の押下に応じて切替えて表示する。
【００４２】
情報釦４７は、各種情報を切替える釦である。液晶表示部３８は、図１８に示すように、対応する遊技機１のスペックや攻略情報等の説明を示すＱＲコード（登録商標）を示す機種情報ＱＲ、遊技場からのお知らせを示す店舗画像、対応する遊技機１の攻略情報を示す安心講座を情報釦４７の押下に応じて切替えて表示する。
【００４３】
詳細釦４８は、詳細情報を切替える釦である。図１９は詳細釦４８に対応する情報の一覧を示すと共に、その表示有無について設定した場合の例示である。各項目（遊技情報テーマ）には「１画面」と「小表示」の設定項目が設けられ、「○」は表示対象とすること、「空欄」は表示対象としないことを設定した旨を示し、「不可」は表示対象とすることができない旨を示している。「概要」は対応する項目の概要を示し、「小表示項目」と「小項目数」とが対応付けられている。上記した図１５から図１８についても図１９の「１画面」と同様に項目単位で表示の有無を設定可能となっており、対応する釦の押下に応じて表示有（○）とした遊技情報が順番に表示されるが、表示無（×）とした遊技情報は表示されない。
【００４４】
詳細釦４８では、図１５から図１８に対応する他の操作釦４４〜４７とは異なり、「１画面」だけでなく「小表示」の設定項目が設けられ、「１画面」は他の操作釦４４〜４７と同様に対応する項目の遊技情報を１画面にて表示することを示す（図２０から図２２参照）。一方、「小表示」が「○」の項目（例えば「ＮＯ．８」のスタートデータ等）は１画面に複数の項目が表示される図２３のようなまとめ表示に対応する。まとめ表示は他の「１画面」に対応した情報表示よりも優先順位が低く、「ＮＯ．２０」のまとめ表示に対応し、詳細釦４８を押下した場合に、表示対象となる全ての１画面を順に表示した後に表示する。
【００４５】
又、「１画面」や「小表示」が「不可」とされる項目（例えば「ＮＯ．１」のマイデータ、「ＮＯ．１８」の特役回数等）は、「１画面」や「まとめ表示」に対応しない項目である旨を示し、「不可」とされていない「１画面」や「まとめ」だけが表示対象として設定可能である。即ち、例えば「ＮＯ．１」のマイデータは「１画面」を表示対象として設定可能であるが、「まとめ表示」には対応しておらず表示対象として設定不能となる。「小表示項目」はまとめ表示した場合に対象となる遊技情報を示し、「小項目数」はまとめ表示した場合の項目数を示す。
【００４６】
液晶表示部３８は、詳細釦４８の押下に応じて図２０から図２３に示す情報表示を行う。図２０は図１９の「ＮＯ．７」に対応した表示例である。尚、図１９にて説明した「１画面」は図２０のように液晶表示部３８の全体を表示領域として対応する項目を表示することを示す。図２０から図２３に示すように液晶表示部３８の上段には、頁数表示部５０と前頁表示部５１と次頁表示部５２とが設けられている。図２０の例示では、頁数表示部５０が「７／１６」であり、詳細釦４８を押下した場合に表示対象となる遊技情報の表示画面（以下、表示頁）の合計が「１６頁」であり、その内の優先順位が７番目の「ＮＯ．７」に対応した「チャンス中特賞回数グラフ」の表示頁であることを示している。又、図２０の例示では、前頁表示部５１が７番目の前の表示頁である「ＮＯ．６」に対応した「大当り分布（ココダッタ）」であることを示し、次頁表示部５２が７番目の次の表示頁である「ＮＯ．８」に対応した「スタートデータ」であることを示している。更に表示頁を切替える場合、前の表示頁に切替えるには★釦４９、次の表示頁に切替えるには詳細釦４８を操作するが、その釦、即ち、それぞれの操作案内を前頁表示部５１及び次頁表示部５２にて示している。
【００４７】
図２１及び図２２の例示も同様であり、図２１の例示では、頁数表示部５０が「９／１６」であり、優先順位が９番目の「ＮＯ．９」に対応した「最高玉数」、図２２の例示では、頁数表示部５０が「１２／１６」であり、優先順位が１２番目（優先順位が１つ繰上がっている）の「ＮＯ．１３」に対応した「平均継続回数」の表示頁であることを示している。これら図２０から図２２のような「１画面」の表示頁は通常表示頁に対応する。
【００４８】
図２３は上記した「小表示」に対応したまとめ表示頁を示す。図２３の例示では、上段にて左から右に「累計スタート」、「本日最高玉数」、「過去最高玉数」、「大当確率」が、下段にて左から右に「初当確率」、「確変合計確率」、「確変初当確率」、「平均継続」が表示されることを示している。ここで、「累計スタート」は図１９にて「小表示」が「○」とされた「Ｎｏ．８の」の「スタートデータ」に対応し、同様に「本日最高玉数」、「過去最高玉数」は「Ｎｏ．９」の「最高玉数」に、「大当確率」、「初当確率」、「確変合計確率」、「確変初当確率」は「Ｎｏ．１０」の「確率データ」に、「平均継続」は「Ｎｏ．１３」の「平均継続回数」に対応した遊技情報となる。このようにまとめ表示頁では、１画面にて表示可能な複数の項目を１表示頁に８つの表示項目を上限として表示対象とし、図１９に示すように１つの項目に複数の小表示項目が対応する場合には複数の小表示項目を対象として表示する。
【００４９】
ここで、上限が「８」であるので「９」以上の小項目数となる場合はまとめ表示頁も複数頁となり、例えば図１９の場合、小項目数が「８」なのでまとめ表示１の１頁が表示対象となるが、最大の「１９」の小項目数が設定された場合にはまとめ表示１〜３の３頁が表示対象となる。又、小項目数が「８」の倍数とならない場合は埋まらない表示項目を空白のまま表示する。表示順序は上段左から右、下段左から右の順序で、図１９のＮＯ順にしたがって表示項目を埋めて表示する。
【００５０】
又、例えば図２１では「本日最高玉数」と「過去最高玉数」の２つの遊技情報が表示対象となっているが、何れかを表示対象から除外する設定も可能であり、除外した場合は１画面表示だけでなく小表示においても表示対象から除外される。即ち、表示対象から除外される旨が設定された遊技情報項目を、通常表示頁だけでなく、まとめ表示頁においても表示対象から除外可能とする。更に例えば「スタートデータ」では最初の大当りが発生するまで「累計スタート」だけでなく「前日最終スタート」も小表示項目として含まれ、図１９の設定でも最初の大当りが発生するまではまとめ表示頁の小項目数が「９」となり、その頁数も「２」となる。このようにまとめ表示頁では１画面で表示する場合の表示条件に応じた小表示項目を予め設定される順序にて特定される表示位置に配置することで複数の小表示項目をまとめて表示しており、他の１画面の表示頁を表示する場合の操作と同様の操作により表示可能としている。
【００５１】
以上に説明したように本実施形態によれば、次のような効果を奏することができる。
項目に対応した遊技情報を表示する１画面表示と、複数の１画面表示の表示対象となる遊技情報をまとめて表示するまとめ表示とが表示可能となるので、項目が異なる遊技情報を比較したい場合に、一方の１画面表示と他方の１画面表示とを比較するか否かに関らず、まとめ表示頁にて遊技情報を容易に比較することが可能となり、使い勝手を高めることができる。
【００５２】
項目単位で小表示を表示するか否かを設定可能となるので、遊技場の管理者が項目単位で直観的にまとめ表示の表示対象となる遊技情報項目を設定可能になると共に、その設定操作に係る労力を軽減することが可能となる。
【００５３】
各項目に小表示項目が予め対応付けられているので、項目単位で直観的にまとめ表示の表示対象となる遊技情報を設定可能になるだけでなく、まとめ表示の表示対象となる小項目数が上限を超えた場合は複数のまとめ表示頁を表示対象とするので、最低限のスペースを確保したまとめ表示が可能となる。
【００５４】
１画面表示にて表示対象から除外された遊技情報はまとめ表示においても表示対象から除外されるので、遊技場側が開示したくない遊技情報を１画面表示だけでなくまとめ表示においても表示対象から除外することができ、１画面表示とまとめ表示との双方を表示対象とした場合であっても設定操作を優れた遊技場用システムの提供が可能となる。
【００５５】
各項目は１画面と小表示についてそれぞれ予め設定不可である旨が対応付けられているので、１画面表示とまとめ表示とについて、一方では表示が好ましくないが他方では表示したい遊技情報について、好ましくない表示にて表示される虞の低減が可能となると共に、項目単位で表示対象を設定する使い勝手に優れた設定方法を採用した場合であっても不都合が生じる虞の低減が可能となる。
【００５６】
項目の優先順位によりまとめ表示における配置を特定するので、まとめ表示の表示対象となる各遊技情報について配置を別途する手間の低減が可能となる。
異なるセグ情報グループに含まれる複数のセグメントの表示を組合わせることで、７セグ単位で表示される文字情報とは異なる情報表示である特別表示が行われるように各セグメントの表示制御を行うので、遊技情報を表示する区分を跨いでの情報表示を行うことが可能となり、情報表示の自由度を向上させることが可能となる。
【００５７】
セグ表示部３９にて「大当」のような文字セグと７セグとにより遊技情報の名称や数値を表示し、文字セグと７セグとの表示を組合わせて１つの演出表示を行うので、遊技情報を表示する場合には文字セグにてどのような遊技情報を示しているのかが把握し易くなる一方、特別表示を行う場合には７セグだけでなく文字セグを含めて演出することで、特別表示の自由度や表示範囲等を向上させることが可能となる。
【００５８】
セグ表示部３９にて７セグにより遊技情報の数値を表示し、その数値を区分するための仕切りセグにより数値を区切ることが可能で、仕切りセグと７セグとの表示を組合わせて１つの演出表示を行うので、遊技情報を表示する場合には仕切りセグにより見栄えが良くなる一方、特別表示を行う場会には７セグだけでなく仕切りセグを含めて演出することで、特別表示の自由度や表示範囲等を向上させることが可能となる。
【００５９】
大当りや確変等が発生した場合にセグ表示部３９全体で絵柄が想起される演出を行うので、大当りや確変等の演出の表現力を高めることが可能となる。又、遊技情報を表示する区分を跨いでの情報表示による演出により、従来想定されていなかった絵柄のような情報表示が可能となり、演出の表現力を更に高めることが可能となる。
【００６０】
セグ表示部３９の演出に連動し、複数のイルミネーション部３４間で光が通過する演出を行う場合に中央表示部３７にてその旨を表示するので、イルミネーション部３４の配置に自由度を与えるだけでなく、イルミネーション部３４の切れ間となる中央表示部３７において光が通過する場合に間延びせず、更に光が通過することで想起される文字情報や絵柄情報等の幅を高めつつもセグ表示部３９にて特別表示を行うことで、演出の表現力を更に高めることが可能となる。
【００６１】
本発明は、上記した実施形態に限定されることなく、次のように変形又は拡張することができる。尚、以下に示す変形例を含む例示した構成をどのように組合わせても良いし、適宜採用しなくとも良いし、複数例示した構成等を一つだけ採用しても良い。
【００６２】
演出として大当りが発生した場合の大当り演出に本発明を適用することを例示したが、例えば確変のような他の特別状態が発生した場合の演出に適用しても良いし、遊技状態に関わらず例えば遊技場からのお知らせ表示を行う場合の演出といったように演出の種類は例示した対象だけでなく、どのような演出に採用しても良い。尚、お知らせ表示を行う場合、管理装置６からお知らせ表示を行う旨の演出信号を受信してお知らせ表示を行うことを特定すれば良い。
【００６３】
図７から図１１に例示したようにセグメントを表示しない箇所を図形に見立てて演出を行うことを例示したが、反対に、セグメントを表示する箇所を図形に見立てて演出しても勿論良い。
【００６４】
情報表示部として中央表示部３７を例示したが、例えば液晶表示部３８を採用しても良く、この場合、液晶表示部３８にて光が通過する場合に、上から下であれば例えば滝、下から上であれば例えば飛行機や鳥等の絵柄により光が通過する旨を示しても良い。同様に右から左、左から右に光が通過するように液晶表示部３８にて波の絵柄を表示し、その波の移動に応じて中央表示部３７やセグ表示部３９にて光を通過させて、左右のイルミネーション部３４の間で光が通過する旨を示しても良い。
【００６５】
表示頁を切替操作にて切替えることを例示したが、例えば一定時間（例えば１０秒）の経過毎に表示を自動的に切替える所謂ローテーション表示により切替えるといったようにどのような切替方法を採用しても良い。
【００６６】
まとめ表示頁を表示する構成を、各遊技機１に対応して設けられる情報表示装置３に適用することを例示したが、複数の遊技機１に対応して例えば島端に設けられる集合情報表示装置に適用しても良い。
【００６７】
各設定値は管理者が任意に操作入力により設定しても、予め管理装置の製造メーカにて設定しても、外部（例えばチェーン店本部等）のサーバから設定情報をダウンロードして設定しても良い。尚、この場合もサーバにて操作入力により入力された設定値となる。又、過去の遊技情報を基準値として設定しても勿論良い。
【００６８】
例示した全ての遊技情報は入力した信号により直接的に特定しても演算式を利用して間接的に特定しても良い。又、遊技信号としてパルス信号を例示したがシリアル通信等による信号入力としても良い。
【００６９】
機種としては、例えばレート別やフロア別に機種をグループ化する等、どのような区分により構成しても良い。
数値、桁数、項目等は例示であり、どのような数値を採用しても良い。又、識別出力についても例示した以外に記号を付ける等、どのような出力態様としても良く、出力としては印字、表示出力が少なくとも想定される。
【００７０】
対象となる遊技機としては遊技媒体をデータのみで管理する所謂封入式といった例示したパチンコ遊技機以外のパチンコ遊技機や、スロットマシン等にも採用できる。尚、所謂封入式を考慮して遊技媒体は必要に応じて遊技価値と表現する。
情報表示装置３が行う処理の一部を中継装置４、遊技装置２又は管理装置６等で行うといったようにどのように構成しても良い。
【符号の説明】
【００７１】
図面中、１は遊技機、３は情報表示装置（遊技情報特定手段、設定手段）、３８は液晶表示部（表示手段）である。
【図１】
2019076581.tif 000003
【図２】
2019076581.tif 000004
【図３】
2019076581.tif 000005
【図４】
2019076581.tif 000006
【図５】
2019076581.tif 000007
【図６】
2019076581.tif 000008
【図７】
2019076581.tif 000009
【図８】
2019076581.tif 000010
【図９】
2019076581.tif 000011
【図１０】
2019076581.tif 000012
【図１１】
2019076581.tif 000013
【図１２】
2019076581.tif 000014
【図１３】
2019076581.tif 000015
【図１４】
2019076581.tif 000016
【図１５】
2019076581.tif 000017
【図１６】
2019076581.tif 000018
【図１７】
2019076581.tif 000019
【図１８】
2019076581.tif 000020
【図１９】
2019076581.tif 000021
【図２０】
2019076581.tif 000022
【図２１】
2019076581.tif 000023
【図２２】
2019076581.tif 000024
【図２３】
2019076581.tif 000025